(57)【要約】【課題】小児や乳幼児の口腔内を診察する際に、口をたやすく開け、患部を特定するのに役立つ簡便な舌圧子及びホルダを提供する。【解決手段】舌圧子１００は、舌を押さえる舌圧部１１０と、該舌圧部を保持すると共に口腔内に該舌圧部を挿入する診察者に把持されるホルダ１２０とを備え、上記ホルダ１２０は、外郭が食品サンプルをなし、側面に、上記舌圧部先端に向けた光を放射する光源が自在に挿脱される開口部１２２を有する。また、ホルダ５２０は、舌を押さえる舌圧子１０を保持すると共に、口腔内に該舌圧子を挿入する診察者に把持されるものであって、外郭が哺乳瓶模型をなし、側面に、上記舌圧子１０が自在に挿脱される第1の開口部５２１と上記舌圧子先端に向けた光を放射する光源が挿脱される第２の開口部５２２とを有する。【選択図】図２
0003123741.tif 000002
【実用新案登録請求の範囲】
【請求項１】
舌を押さえる舌圧部と、該舌圧部を保持すると共に、口腔内に該舌圧部を挿入する診察者に把持されるホルダと、を備え、前記ホルダは、外郭が食品サンプルをなし、側面に、前記舌圧部先端に向けた光を放射する光源が自在に挿脱される開口部を有することを特徴とする舌圧子。
【請求項２】
舌を押さえる舌圧部と、該舌圧部を保持すると共に、口腔内に該舌圧部を挿入する診察者に把持されるホルダと、を備え、前記ホルダは、内部に光源を具備すると共に、外郭が食品サンプルをなし、側面に、該光源の光を前記舌圧部先端に向けて放射する窓を有することを特徴とする舌圧子。
【請求項３】
舌を押さえる舌圧部と、該舌圧部を保持すると共に、口腔内に該舌圧部を挿入する診察者に把持されるホルダと、を備え、前記ホルダは、外郭が哺乳瓶模型をなし、側面に、前記舌圧部先端に向けた光を放射する光源が自在に挿脱される開口部を有することを特徴とする舌圧子。
【請求項４】
舌を押さえる舌圧部と、該舌圧部を保持すると共に、口腔内に該舌圧部を挿入する診察者に把持されるホルダと、を備え、前記ホルダは、内部に光源を具備すると共に、外郭が哺乳瓶模型をなし、側面に、該光源の光を前記舌圧部先端に向けて放射する窓を有することを特徴とする舌圧子。
【請求項５】
舌を押さえる舌圧子を保持すると共に、口腔内に該舌圧子を挿入する診察者に把持されるホルダであって、外郭が食品サンプルをなし、側面に、前記舌圧子が自在に挿脱される第1の開口部と、前記舌圧子先端に向けた光を放射する光源が挿脱される第２の開口部と、を有することを特徴とするホルダ。
【請求項６】
舌を押さえる舌圧子を保持すると共に、口腔内に該舌圧子を挿入する診察者に把持されるホルダであって、内部に光源を具備すると共に、外郭が食品サンプルをなし、側面に、前記舌圧子が自在に挿脱される開口部と、該光源の光を前記舌圧子先端に向けて放射する窓と、を有することを特徴とするホルダ。
【請求項７】
舌を押さえる舌圧子を保持すると共に、口腔内に該舌圧子を挿入する診察者に把持されるホルダであって、外郭が哺乳瓶模型をなし、側面に、前記舌圧子が自在に挿脱される第３の開口部と、前記舌圧子先端に向けた光を放射する光源が挿脱される第４の開口部と、を有することを特徴とするホルダ。
【請求項８】
舌を押さえる舌圧子を保持すると共に、口腔内に該舌圧子を挿入する診察者に把持されるホルダであって、内部に光源を具備すると共に、外郭が哺乳瓶模型をなし、側面に、前記舌圧子が自在に挿脱される開口部と、該光源の光を前記舌圧子先端に向けて放射する窓と、を有することを特徴とするホルダ。
【考案の詳細な説明】
【技術分野】
【０００１】
本考案は、口腔内を診察する際に、口腔内に挿入して舌を押さえる舌圧子、及び舌圧子を保持すると共に、診察者に把持されるホルダに関する。
【背景技術】
【０００２】
医者が喉頭や咽頭など、口腔内を診察する際には金属製又は木製の舌圧子を片手で操作し、他方の手で懐中電灯を照らしながら視診するのが一般的である。このため、両手を使わねばならないことや、舌圧子や懐中電灯の隙間から口腔内を覗きこまねばならないため、患部を特定したり、特定された患部の症状を視診するのにかなりの時間と労力が必要である。そこで、光伝送部材からなる舌押さえ片と、光源を内蔵したホルダと、により舌圧子を構成し、その舌押さえ片を、光放射面を有する基端厚肉部と、湾曲した舌下面を有する先端薄肉部とで形成することにより、光源と舌押さえ片とを一体化した舌圧子が提案されている（特許文献１参照）。
しかしながら、光放射面を有する基端厚肉部を経由して光源の光が患部に届くまでには相当量が減衰するので、視診部位が暗くなってしまうという課題がある。そこで、舌押さえ片を、凸状のリムを薄肉の端部で挟んだ断面形状を有する光伝送部材を用い、かつ光源側よりも先端側を細幅にすることにより、光源で取り入れた光を集光させ、光の減衰がより少なくなるようにした舌圧子が提案されている（特許文献２参照）。
【特許文献１】実公昭６２−２８９６３号公報
【特許文献２】実公平６−６８７１９号公報
【考案の開示】
【考案が解決しようとする課題】
【０００３】
しかし、提案された上記何れの方法も、光源を内蔵するホルダに、光源の光が十分伝送されるように舌押さえ片を結合させる必要がある。そのため、光源と舌押さえ片との結合部は、構造、強度、材質が制約される上、結合部から光の放射部までの間に介在される部材により、光源からの光量が相当量減衰してしまうという問題がある。また、舌押さえ片から光を放射する構成では、放射された光が患部に達するまでの距離が短いので、光の照射面が狭く、患部を一目で特定できないため、初期対応には不便である。さらに、患者が乳幼児や小児の場合には、舌圧子を近付けると口を閉ざす場合が多いので、舌圧子を口腔内に挿入すること自体に忍耐と工夫が必要である。また、口を開けても、短時間で閉じてしまう場合が多いので、患部の特定や症状の視診を素早く行う必要がある。
上記事情に鑑み、本考案は、小児や乳幼児の口腔内を診察する際に、口をたやすく開け、その間に患部を素早く特定することや、症状を素早く視診するのに便利で、かつ簡単な構造の舌圧子及びホルダを提供することを目的とする。
【課題を解決するための手段】
【０００４】
本考案の舌圧子は、舌を押さえる舌圧部と、該舌圧部を保持すると共に、口腔内に該舌圧部を挿入する診察者に把持されるホルダと、を備え、上記ホルダは、外郭が食品サンプルをなし、側面に、上記舌圧部先端に向けた光を放射する光源が自在に挿脱される開口部を有することを特徴とする。
このように、舌圧子の、医師に把持されるホルダの外郭が小児の好むもの、例えばソフトクリームそっくりな食品サンプルであれば、その舌圧子を小児に近付けると、小児は喜んで口を開けてくれるので、口腔内の診察が容易になる。また、ホルダの開口部に市販のライトを挿着すれば、そのライトによって口腔内全体を照らすことができるので、患部の特定や症状を素早く視診するのに便利である。
また、本考案の舌圧子は、舌を押さえる舌圧部と、該舌圧部を保持すると共に、口腔内に該舌圧部を挿入する診察者に把持されるホルダと、を備え、上記ホルダは、内部に光源を具備すると共に、外郭が食品サンプルをなし、側面に、該光源の光を上記舌圧部先端に向けて放射する窓を有することを特徴とする。
このように、舌圧子の、医師に把持されるホルダの外郭が食品サンプルであると共に、そのホルダにライトが内蔵されていれば、小児は喜んで口を開け、口腔内の診察が容易となるのに加えて、ライトの形状を任意に設定することや、光を照射面、光量を任意に設定することができる。
さらに、本考案の舌圧子は、舌を押さえる舌圧部と、該舌圧部を保持すると共に、口腔内に該舌圧部を挿入する診察者に把持されるホルダと、を備え、上記ホルダは、外郭が哺乳瓶模型をなし、側面に、上記舌圧部先端に向けた光を放射する光源が自在に挿脱される開口部を有することを特徴とする。
このように、舌圧子の、医師に把持されるホルダの外郭が、ミニチュアの哺乳瓶であれば、その舌圧子を乳幼児に近付けると、乳幼児は哺乳瓶と思って口を開けてくれるので、乳幼児の口腔内診察が容易になる。また、ホルダの開口部に市販のライトを挿着すれば、そのライトによって口腔内全体を照らすことができるので、患部の特定や症状を素早く視診するのに便利である。
また、本考案の舌圧子は、舌を押さえる舌圧部と、該舌圧部を保持すると共に、口腔内に該舌圧部を挿入する診察者に把持されるホルダと、を備え、上記ホルダは、内部に光源を具備すると共に、外郭が哺乳瓶模型をなし、側面に、該光源の光を上記舌圧部先端に向けて放射する窓を有することを特徴とする。
このように、舌圧子の、医師に把持されるホルダの外郭が、ミニチュアの哺乳瓶であると共に、そのホルダにライトが内蔵されていれば、乳幼児は喜んで口を開け、口腔内の診察が容易となるのに加えて、ライトの形状を任意に設定することや、光を照射面、光量を任意に設定することができる。
【０００５】
本考案のホルダは、舌を押さえる舌圧子を保持すると共に、口腔内に該舌圧子を挿入する診察者に把持されるホルダであって、外郭が食品サンプルをなし、側面に、上記舌圧子が自在に挿脱される第1の開口部と、上記舌圧子先端に向けた光を放射する光源が挿脱される第２の開口部と、を有することを特徴とする。
このように、舌圧子を保持するホルダの外郭が、例えばアイスクリームのような小児が好むものにそっくりな食品サンプルにより形成されていれば、その舌圧子を小児に近付けると、小児は喜んで口を開けてくれる。また、市販の金属製舌圧子や使い捨ての木製舌圧子をそのまま挿脱して使用できる上に、市販のライトを挿着して口腔内全体を照らすこともできるので、小児用の舌圧子を簡便に構成することができる。さらに、食品の種類が異なる複数のホルダを揃えておけば、小児の好みに合わせて選択することもできる。
また、本考案のホルダは、舌を押さえる舌圧子を保持すると共に、口腔内に該舌圧子を挿入する診察者に把持されるホルダであって、内部に光源を具備すると共に、外郭が食品サンプルをなし、側面に、上記舌圧子が自在に挿脱される開口部と、該光源の光を上記舌圧子先端に向けて放射する窓と、を有することを特徴とする。
このように、舌圧子を保持するホルダの外郭が、小児が好む、例えばアイスクリームにそっくりな食品サンプルにより形成されていれば、小児は喜んで口を開けてくれる。また、そのホルダにライトが内蔵されていれば、ライトの形状を任意に設定することや、光を照射面、光量を任意に設定することができる。
さらに、本考案のホルダは、舌を押さえる舌圧子を保持すると共に、口腔内に該舌圧子を挿入する診察者に把持されるホルダであって、外郭が哺乳瓶模型をなし、側面に、上記舌圧子が自在に挿脱される第３の開口部と、上記舌圧子先端に向けた光を放射する光源が挿脱される第４の開口部と、を有することを特徴とする。
このように、舌圧子を保持するホルダの外郭が、ミニチュアの哺乳瓶であれば、乳幼児は哺乳瓶と思って口を開けてくれる。また、市販の金属製舌圧子や使い捨ての木製舌圧子をそのまま挿脱して使用できる上、市販のライトを挿着して口腔内全体を照らすこともできるので、小児用の舌圧子を簡便に構成することができる。
また、本考案のホルダは、舌を押さえる舌圧子を保持すると共に、口腔内に該舌圧子を挿入する診察者に把持されるホルダであって、内部に光源を具備すると共に、外郭が哺乳瓶模型をなし、側面に、上記舌圧子が自在に挿脱される開口部と、該光源の光を上記舌圧子先端に向けて放射する窓と、を有することを特徴とする。
このように、舌圧子を保持するホルダの外郭が、ミニチュアの哺乳瓶であれば、乳幼児は哺乳瓶と思って口を開けてくれる。また、市販の金属製舌圧子や使い捨ての木製舌圧子をそのまま挿脱して使用できる上、そのホルダにライトが内蔵されていれば、ライトの形状を任意に設定することや、光を照射面、光量を任意に設定することができる。
【考案の効果】
【０００６】
本考案の舌圧子及びホルダによれば、口腔内の診察者が把持するホルダの外郭が、小児が好む食べ物にそっくりな食品サンプルであったり、ミニチュアの哺乳瓶であったりするので、診察の際に小児や乳幼児がたやすく口を開け、診察が容易になる。また、舌圧子又はホルダに挿着された市販のライト又は内蔵されたライトにより口腔内を広範囲に照らすことができるので、挿着された市販の舌圧子又は取り付けられた舌圧部により患部を素早く特定することや、症状を素早く視診することが可能になる。
【考案を実施するための最良の形態】
【０００７】
以下に、本考案の実施形態を図面に基づいて説明する。
（第1の実施形態）
図１から図３は、第1の実施形態に適用される本考案の舌圧子の平面、正面、及び側面を示す図である。
図1及び図２に示すように、第1の実施形態の舌圧子１００は、口腔内に挿入されて舌を押さえる舌圧部１１０と、その舌圧部１１０を保持すると共に、保持された舌圧部１１０を口腔内に挿入する際に診察者が把持するホルダ１２０と、からなる。
本実施形態の舌圧部１１０は、幅１０ｍｍ前後の平板状の金属により形成される。また、本実施形態のホルダ１２０は、先ず、例えばシリコンを用いてコーン入アイスクリームの型取りを行い、出来上がったシリコンの型に塩化ビニールなどの熱可塑性プラスチックを流し込んで、コーン入アイスクリームそっくりの立体形状を作成する。そして、コーン入アイスクリームそっくりなその立体形状に、筆などを用いて着色しホルダ１２０が形成される。
ここで、本実施形態では、舌圧部１１０は、金属により形成されるが、必ずしも金属である必要はなく、プラスチックであってもよい。また幅１０ｍｍ前後の平板状に成形されているが、必ずしもそれに限定する必要はない。また、ホルダ１２０は、コーン入アイスクリームにそっくりな食品サンプルとして外郭が形成されるが、そっくりな食品サンプルは、必ずしもコーン入アイスクリームである必要はなく、フルーツやスイーツ、キャンデ、スパゲッテイ、握りずしなど小児の好む食べ物であればよい。さらに食品サンプルは、型流しで形成する必要はなく、ブロー成形法やインジェクション成形法などにより成形してもよい。
医師に把持されるホルダが、このように小児の好むアイスクリームにそっくりな食品サンプルになっていれば、舌圧子１００を小児に近付けると、小児は喜んで口を開け、口腔内の診察が容易になる。
図３に示すように、コーン入アイスクリームサンプルとして外郭が形成されたホルダ１２０の、先端Ａ方向側の側面には、舌圧部１１０を挿入する矩形の孔１２１と、その上方に、光源を挿脱する円形の開口部１２２が設けられている。
図1から図３に示すように、ホルダ１２０の側面に設けられた矩形の孔１２１は、舌圧部１１０断面よりも寸法がわずかに大きくなるように形成されている。舌圧部１１０は、その矩形の孔１２１に、先端方向Ａ側から一端が挿入され、接着剤によりホルダ１２０に強固に固定される。
一方、円形の開口部１２２は、コーン入アイスクリームサンプルを貫く貫通孔として形成されている。その貫通孔の、先端方向Ａ側の縁端の内径は、市販のペンライト外径よりも小さく、その縁端を除いた内径は、市販のペンライト外径よりもやや大きくなっている。市販のペンライトは、その貫通孔の、先端Ａ方向とは反対側、ホルダ１２０の後方から、挿脱可能な状態で挿着される。
矩形の孔１２１と円形の開口部１２２（貫通孔）とは、互いに平行となるように設けられているので、ホルダ１２０の後方から挿着されたペンライトは、先端Ａ方向に向けて光を放射し、口腔内を広範に照らすことができる。
ここで、ペンライトは、電池により豆電球や白色ＬＥＤを光らせるペン型の小型懐中電灯であり、光の照射範囲や光量に応じて集光レンズを用いてもよい。また、ペンライトの点滅は、ペンライトの尻などに設けられた凸スイッチを押すことにより行うことができるが、豆電球又はＬＥＤを押すことやペンライト頭部を回転させることにより行うことにしてもよい。
本実施形態の舌圧子１００は、ホルダ１２０の後方から市販のペンライトを挿着するように構成されているが、ホルダ１２０の前方から挿着するように構成してもよい。また、ホルダ１２０の後方から挿着されたペンライトは、貫通孔の縁端がストッパとなり、それ以上先に押し出されないようになっているが、貫通孔内径に、先端Ａ方向側が小さくなるようなテーパを設け、そのテーパをストッパにしてもよい。
【０００８】
（第２の実施形態）
第２の実施形態の舌圧子２００は、第1の実施形態に較べると、ホルダの内部に光源を備える点は相違するが、ホルダの外郭が、コーン入アイスクリームサンプルである点は共通する。したがって重複する説明は省略し、相違点について説明する。
図４は、ホルダに内蔵され、光源を形成するフレームを一例として示す図である。
図４に示すフレーム２３０は、豆電球又はＬＥＤ、及び乾電池が収容される空間２３１と、その空間２３１に平行な溝２３２とを有する。
溝２３２には、舌を押さえる平板状の舌圧部２１０が挿入され、舌圧部２１０は、接着剤でフレーム２３０に固定される。空間２３１には、豆電球又はＬＥＤと電池とが収納され（図示されていない）、光源２４０が形成される。空間２３１は、溝２３２とは平行に形成されているので、光源２４０からは先端方向Ａ側に光が放射され、口腔内を広範に照らすことができる。
ここで、光源２４０は、ホルダの窓２２２から豆電球又はＬＥＤを取り外したのち、電池を交換することができる。また、窓２２２を押すことにより光を点滅させることができるが、必ずしもこれらの構成に限定されない。
本実施形態におけるフレーム２３０は、熱可塑性プラスチックにより成形されるが、金属により成形してもよい。また、舌圧部２１０は、第１の実施形態と同様に、金属により形成されるが、プラスチックにより形成してもよい。
図５は、第２の実施形態の舌圧子を構成するホルダの側面を示す図である。
図５に示すように、本実施形態のホルダ２２０は、図1から図２に示したものと同様に、外郭がコーン入アイスクリームサンプルとして形成されている。しかしながら、ホルダ２２０の側面には、光源の光を透過する窓２２２と、舌圧部２１０が貫通する貫通孔２２１を設けてあり、ホルダ２２０の底には、フレーム２３０が嵌合される、図示しない開口を設けてある。
図４に示すフレーム２３０は、図示しない開口に嵌めこまれた後、ホルダ２２０の貫通孔２２１を貫通させた舌圧部２１０がフレームの溝２３２に挿入される。挿入された舌圧部２１０は、接着剤などを用いてフレームの溝２３２に固定される。一方、フレーム２３０は、コーン入アイスクリームサンプルとして形成されたホルダ２２０に接着剤などを用いて固定してもよいし、図示しない開口に、着脱できるように嵌合させて固定してもよい。
本実施形態の舌圧子２００は、ホルダ２２０に嵌合されたフレーム２３０の空間２３１に豆電球又はＬＥＤと電池とを収納して光源２４０を形成し、フレームの溝２３２に舌圧部２１０を挿入し、固定することにより形成されるが、フレーム２３０を用いることなく、コーン入アイスクリームサンプル内に、直接光源２４０を形成し、かつ、舌圧部２１０を固定することにしてもよい。なお、ホルダ２２０に嵌合されたフレーム２３０の空間２３１に市販のペンライトを挿脱可能な状態で挿着できるように構成することもできる。
【０００９】
（第３の実施形態）
第３の実施形態の舌圧子３００は、第1の実施形態に較べて、ホルダの外郭が哺乳瓶のミニチュアとして形成されている点が相違する。
図６から図８は、第３の実施形態に適用される本考案の舌圧子の平面、正面、及び側面を示す図である。
図６及び図７に示すように、第３の実施形態の舌圧子３００は、口腔内に挿入されて舌を押さえる舌圧部３１０と、その舌圧部３１０を保持すると共に、保持された舌圧部３１０を口腔内に挿入する際に診察者に把持されるホルダ３２０とからなる。本実施形態のホルダ３２０は、例えば塩化ビニールなどの熱可塑性プラスチックを用いて、外形が哺乳瓶そっくりに射出成形された立体形状に、筆などを用いて着色を施し、形成される。
このように、医師に把持されるホルダの外郭が哺乳瓶にそっくりであるから、舌圧子を乳幼児に近付けると、乳幼児は哺乳瓶と思い口を開けてくれるので、乳幼児の診察が容易になる。
図８に示すように、ミニチュアの哺乳瓶として外郭が形成されたホルダ３２０の、先端Ａ方向側（吸い口側）の側面には、中央に、市販のペンライトを挿脱する円形の開口部３２２が設けられ、その下方に、舌圧部３１０を挿入する矩形の孔３２１が設けられている。
矩形の孔３２１は、舌圧部３１０断面よりも寸法がわずかに大きくなるように形成されている。舌圧部３１０は、その矩形の孔３２１に、先端方向Ａ側から一端が挿入され、接着剤によりホルダ３２０に強固に固定される。
一方、円形の開口部３２２は、市販のペンライトと同じ長さを有する穴によって形成されている。穴の先端Ａ方向側の内径は、市販のペンライト外径よりも大きく、穴の底付近の内径は、市販のペンライト外径と同じか、あるいはやや小さく、穴の中間の内径は、先端Ａ方向側が底側よりも大きくなるようなテーパが設けてある。したがって、市販のペンライトは、円形の開口部３２２の穴に、先端Ａ方向側から挿脱可能な状態で挿着され、挿着されたペンライトは、円形の開口部３２２に固定される。
矩形の孔３２１と円形の開口部３２２の穴とは、互いに平行となるように設けられているので、挿着された市販のペンライトは、先端Ａ方向側に向けて光を放射し、口腔内を広範に照らすことができる。
ここで、ペンライトは、電池により豆電球や白色ＬＥＤを光らせるペン型の小型懐中電灯であり、光の照射範囲や光量に応じて集光レンズを用いてもよい。また、ペンライトの点滅は、豆電球又はＬＥＤを押すことやペンライト頭部を回転させることにより行うことができるが、ペンライト頭部を押すことにより、ペンライトの尻に設けられたノック式スイッチが押されることにより行うことにしてもよい。
本実施形態の舌圧子３００は、先端方向Ａ側と、底側とで円形の開口部３２２の穴の内径を変え、テーパを設けることにより、市販のペンライトをホルダ３２０の円形の開口部３２２に保持しているが、必ずしもこの構成に限定されない。
【００１０】
（第4の実施形態）
第４の実施形態の舌圧子４００は、第３の実施形態に較べて、ホルダの外郭が哺乳瓶ミニチュアとして形成されている点は共通するが、ホルダの内部に光源を備える点は相違する。しかし、その相違点のうち、豆電球又はＬＥＤ、及び乾電池が収容される空間２３１と、その空間２３１に平行な、舌圧部が挿入される溝２３２と、を有するフレーム２３０を備え、そのフレーム２３０がホルダの底に嵌合される点は、第２の実施形態で説明したのと同じである。したがって重複する説明は省略し、それ以外の相違点について説明する。
図９及び図１０は、第４の実施形態に適用される本考案の舌圧子の正面、及び側面を示す図である。
図９に示すように、本実施形態のホルダ４２０は、外郭がミニチュアの哺乳瓶として形成され、先端Ａ方向側（吸い口側）には、光源２４０の光を透過する、乳首形の窓４２２が着脱自在に設けられ、その下方には、舌圧部４１０が突き出している。なお、ホルダ４２０の底には、フレーム２３０全体が嵌合される、図に現れない開口が設けられている。
図１０に示すように、本実施形態のホルダ４２０の側面には、中央に、光源２４０の光を透過する乳首形の窓４２２と、その下方に、舌圧部４１０を挿入する矩形の孔４２１が設けられている。なお、光源２４０の電池交換は、乳首形の窓４２２をはずした後、豆電球又はＬＥＤを取り外し、行うことができる。また、乳首形の窓４２２がスイッチとなるように構成し、窓４２２を押せば光が点滅するようにすることもできる。
【００１１】
（第5の実施形態）
第５の実施形態のホルダ５２０は、第１の実施形態の舌圧子１００において、舌圧部１１０が固定されていないホルダ１２０と同じ状態であり、舌圧部１１０のかわりに市販の舌圧子を挿着し、口腔内を診察する際に、医師が把持して使用するものである。
図１１は、第５の実施形態のホルダに挿着される舌圧子の一例を示す図である。
図１１に一例を示すように、舌圧子１０は、口腔内に挿入されて舌を押さえる舌圧部１１と、診察者に把持される把持部１２とからなる。舌圧子１０は、一般的に、幅１０ｍｍ前後の平板状の金属により形成されたものが用いられるが、プラスチック製のものであっても、或は木製の使い捨てのものであってもよい。
図１２から図１４は、第５の実施形態に適用される本考案のホルダの平面、正面、及び側面を示す図である。
本実施形態のホルダ５２０は、側面に、ペンライトなどの市販の光源を挿着すると共に、上述した舌圧子１０を挿入して、その舌圧子１０を保持するものであり、外郭がコーン入アイスクリームサンプルとして形成されている。診察者は、このホルダ５２０を把持して、保持された舌圧子１０を口腔内に挿入する。
本実施形態のホルダ５２０は、外郭がコーン入アイスクリームにそっくりであるから、小児の口腔内を診察する際に医師がホルダ５２０を把持して小児に近づければ、小児は容易に口を開けてくれる。したがって、ホルダ５２０に挿着されたペンライトで、口腔内を照らすと共に、ホルダ５２０に保持された舌圧子１０を用いて、患部を容易に特定することができる。
図１４に示すように、コーン入アイスクリームサンプルとして外郭が形成されたホルダ５２０の、先端Ａ方向の側面には、舌圧子を挿入する矩形の孔５２１（本発明の第１の開口部に相当する）と、その上方に、光源（市販のペンライトなど）を挿着する円形の開口部５２２（本発明の第２の開口部に相当する）とが設けられている。
矩形の孔５２１は、舌圧子１０の幅及び厚みより少し大きく、かつ挿入される舌圧子１０を保持するに十分な深さを有するので、舌圧子１０は、その孔５２１に挿脱可能な状態で保持される。
一方、円形の開口部５２２は、コーン入アイスクリームサンプルを貫く貫通孔として形成されている。そして、貫通孔の、先端Ａ方向側の縁端の内径は、市販のペンライト外径よりも小さく、その縁端を除く貫通孔内径は、市販のペンライト外径よりもやや大きくなっている。したがって、円形の開口部５２２は、貫通孔の、先端Ａ方向側とは反対側（ホルダ５２０の後方）から、市販のペンライトを挿脱可能な状態で挿着できる。また、矩形の孔５２１と円形の開口部５２２は、互いに平行になるように設けられているので、貫通孔の、先端Ａ方向側とは反対側（ホルダ５２０の後方）から挿着されたペンライトは、先端Ａ方向に光を放射し、口腔内を広範に照らすことができる。
ここで、矩形の孔５２１と円形の開口部５２２は、例えばポリスチレン、ＡBS樹脂など、食品サンプルの構成材とは異なるプラスチックを用いて別個に作成したものをアイスクリームにそっくりな食品サンプルに埋め込むことにより形成してもよい。それにより、舌圧子１０及び市販のペンライトはより確実にホルダに保持される。また、ペンライトは、電池により豆電球や白色ＬＥＤを光らせるペン型の小型懐中電灯であり、光の照射範囲や光量に応じて集光レンズを用いてもよい。また、ペンライトの点滅は、ペンライトの尻に設けられた凸スイッチを押すことにより行うことができるが、豆電球又はＬＥＤを押すことやペンライト頭部を回転させることにより行うことにしてもよい。
本実施形態のホルダ５２０は、市販のペンライトをホルダ５２０の後方から挿着するように構成されているが、ホルダ５２０の前方から挿着するように構成してもよい。
【００１２】
（第６の実施形態）
第６の実施形態のホルダ６２０は、第５の実施形態に較べて、外郭がコーン入アイスクリームサンプルとして形成され、側面には、舌圧子１０を挿入する矩形の孔が設けられている点は共通し、ホルダ６２０の内部に光源を備え、側面に、光源の光を透過する窓が設けられている点は相違する。
しかしながら、それら相違点も、第２の実施形態として説明した図４のフレーム２３０において、舌圧部２１０にかえて舌圧子１０を溝２３２に挿入し、かつその舌圧子１０を、溝２３２に接着せず、挿脱自在の状態にすれば、フレーム２３０が嵌合された第２の実施形態のホルダ２２０と同じである。したがって本実施形態の図及び説明は省略する。
【００１３】
（第７の実施形態）
第７の実施形態のホルダ７２０は、第５の実施形態に較べて、外郭がミニチュアの哺乳瓶として形成される点は相違するが、それ以外の点は共通する。
図１５から図１７は、第７の実施形態に適用される本考案のホルダの平面、正面、及び側面を示す図である。
図１５から図１７に示すように、第７の実施形態のホルダ７２０は、ミニチュアの哺乳瓶として外郭が形成されている。診察者は、このホルダ７２０を把持して、保持された舌圧子１０を口腔内に挿入する。
図１７に示すように、ミニチュアの哺乳瓶として外郭が形成されたホルダ７２０の、舌圧子１０の先端Ａ方向側の側面には、舌圧子１０を挿入する矩形の孔７２１（本発明の第３の開口部に相当する）と、その上方に、光源を挿脱する円形の開口部７２２（本発明の第４の開口部に相当する）とが設けられている。
矩形の孔７２１は、舌圧子１０の幅及び厚みより少し大きく、かつ挿入される舌圧子１０を保持するに十分な深さを有するので、舌圧子１０は、その孔７２１に挿脱可能な状態で保持される。
円形の開口部７２２は、市販のペンライトなどよりも径が少し大きく、かつ長さがペンライトと同じ寸法になっているので、その開口部７２２にペンライトなどの光源を挿脱可能な状態で挿着することができる。さらに、円形の開口部７２２は、舌圧子１０が挿入される矩形の孔７２１と平行に形成されているので、その開口部７２１に挿着されたペンライトからは、先端Ａ方向に光が放射され、口腔内を広く照らすことができる。
本実施形態のホルダ７２０は、哺乳瓶にそっくりであるから、乳児の口腔内を診察する際に医師がホルダ７２０を把持して乳児に近付ければ、乳児は容易に口を開けてくれる。したがって、ホルダ７２０に挿着されたペンライトで、口腔内を照らすと共に、ホルダ７２０に保持された舌圧子１０を用いて、患部を特定することができる。
【００１４】
（第８の実施形態）
第８の実施形態のホルダ８２０は、第４の実施形態に較べて、外郭が哺乳瓶ミニチュアであり、内部に光源２４０を備え、側面に、光源２４０の光を透過する窓４２２を有する点は共通し、固定された舌圧部２１０にかえ、舌圧子１０を自在に挿脱できる用にした点が相違する。
しかしながら、それら相違点も、第４の実施形態における図９及び図１０の説明において、舌圧部２１０のかわりに舌圧子１０を溝２３２に挿入し、かつその舌圧子１０を、溝２３２に接着せず、挿脱自在としたのと等価であることから、ここでは図及び説明は省略する。
【産業上の利用可能性】
【００１５】
内科、小児科、耳鼻咽喉科、歯科などにおいて、小児や乳幼児の口腔内を診察する際に適用できる。
【図面の簡単な説明】
【００１６】
【図１】第1の実施形態に適用される本考案の舌圧子の平面を示す図である。
【図２】第1の実施形態に適用される本考案の舌圧子の正面を示す図である。
【図３】第1の実施形態に適用される本考案の舌圧子の側面を示す図である。
【図４】ホルダに内蔵され、光源を形成するフレームを一例として示す図である。
【図５】第２の実施形態の舌圧子を構成するホルダの側面を示す図である。
【図６】第３の実施形態に適用される本考案の舌圧子の平面を示す図である。
【図７】第３の実施形態に適用される本考案の舌圧子の正面を示す図である。
【図８】第３の実施形態に適用される本考案の舌圧子の側面を示す図である。
【図９】第４の実施形態に適用される本考案の舌圧子の正面を示す図である。
【図１０】第４の実施形態に適用される本考案の舌圧子の側面を示す図である。
【図１１】第５実施形態のホルダに挿着される舌圧子の一例を示す図である。
【図１２】第５の実施形態に適用される本考案のホルダの平面を示す図である。
【図１３】第５の実施形態に適用される本考案のホルダの正面を示す図である。
【図１４】第５の実施形態に適用される本考案のホルダの側面を示す図である。
【図１５】第７の実施形態に適用される本考案のホルダの平面を示す図である。
【図１６】第７の実施形態に適用される本考案のホルダの正面を示す図である。
【図１７】第７の実施形態に適用される本考案のホルダの側面を示す図である。
【符号の説明】
【００１７】
１０、１００、２００、３００、４００    舌圧子
１１、１１０、２１０、３１０、４１０    舌圧部
１２    把持部
１２０、２２０、３２０、４２０、５２０、７２０    ホルダ
１２１、３２１、５２１、７２１    孔
１２２、３２２、５２２、７２２    開口部
２２１、４２１    貫通孔
２２２、４２２    窓
２３０    フレーム
２４０    光源  
【図１】
0003123741.tif 000003
【図２】
0003123741.tif 000004
【図３】
0003123741.tif 000005
【図４】
0003123741.tif 000006
【図５】
0003123741.tif 000007
【図６】
0003123741.tif 000008
【図７】
0003123741.tif 000009
【図８】
0003123741.tif 000010
【図９】
0003123741.tif 000011
【図１０】
0003123741.tif 000012
【図１１】
0003123741.tif 000013
【図１２】
0003123741.tif 000014
【図１３】
0003123741.tif 000015
【図１４】
0003123741.tif 000016
【図１５】
0003123741.tif 000017
【図１６】
0003123741.tif 000018
【図１７】
0003123741.tif 000019